(57)【要約】      （修正有）【課題】一度に比較的少量の組成物しか必要としないことが多く、より小さい「１回用量」又は「使い捨て」の容器は、必要なときに、新しく混合された組成物のバッチが使用可能であることを確実にするのに役立つようにする。【解決手段】チャンバを画定する容器底部と容器壁を有する容器であって、容器壁の一部が、構成成分を収容するための少なくとも１つの区画を備え、除去可能なカバーで閉鎖されている。【選択図】      図２
2007261686.tif 000002
【特許請求の範囲】
【請求項１】
チャンバを画定する容器底壁と容器側壁とを有する容器であって、容器壁の一部が実質的に上向きに延び、構成成分を密閉するための少なくとも１つの区画を備える容器。
【請求項２】
前記容器側壁が、前記容器底壁に実質的に垂直である、請求項１に記載の容器。
【請求項３】
前記少なくとも１つの区画が、前記材料を前記区画内に密封するための除去可能なカバーで閉鎖されている、請求項１又は２に記載の容器。
【請求項４】
前記除去可能なカバーが、前記区画の周囲で前記容器壁に封着されている第１の部分を備える、請求項１〜３のいずれか１項に記載の容器。
【請求項５】
前記カバーは、前記第１の部分から延び、使用者が把持できる第２の部分を備える、請求項１〜４のいずれか１項に記載の容器。
【請求項６】
前記容器が２つの区画を備える、請求項１〜５のいずれか１項に記載の容器。
【請求項７】
前記少なくとも１つの区画に少なくとも１種類の歯科用物質が予め充填されている、請求項１〜６のいずれか１項に記載の容器。
【発明の詳細な説明】
【技術分野】
【０００１】
関連出願の相互参照
本出願は、２００６年２月３日に出願された欧州特許出願第０６００２２８３．７号明細書の優先権を主張する。
【０００２】
（技術分野）
本発明は、単一成分材料又は２種類以上の構成成分からなる組成物用の貯蔵容器に関する。一定量の組成物が使用を必要とされるまで、容器は１種類以上の構成成分を貯蔵する。２種類以上の構成成分の場合、構成成分は、使用を必要とされるまで、互いに隔離された状態で貯蔵される。
【背景技術】
【０００３】
多くの有用な組成物は２種類の構成成分からなり、これらは、通常、一定量の組成物が使用を必要とされる直前まで、一緒に混合されない。例えば、エポキシベースの接着剤の構成成分は、構成成分が互いに接触すると化学反応が開始し、それによって、混合された組成物が最後には硬化した塊になるため、互いに別々に貯蔵される。そのため、エポキシベースの接着剤は、接着剤の構成成分を最初互いに隔離した状態で保存する２つの区画又は２つの別々の容器を具備するパッケージで広く入手可能である。
【０００４】
近年、最初互いに離して保存される２種類の構成成分からなる組成物用の「使い捨て」の容器に高い関心が寄せられている。このような容器は、典型的には、混合する前に別々の量の各構成成分を計量する必要がない。これらの容器は、構成成分が、混合時に、得られる組成物の所望の比で存在することを確実にするのにも役立つ。更に、容器内で構成成分が一緒に混合される場合、混合用ミキシングウェル、パッド、容器、又は他の種類の混合用構造の必要がない。
【０００５】
多成分組成物用の使い捨ての容器は、一人の患者に使用した後、容器をアプリケータと一緒に処分することができるため、医療用および歯科用組成物を貯蔵するのに、とりわけ好都合である。このようにして、一人の患者から別の患者に感染性の病気を移すリスクが実質的に減少する。
【０００６】
一度に比較的少量の組成物しか必要としないことが多く、より小さい「１回用量」又は「使い捨て」の容器は、必要なときに、新しく混合された組成物のバッチが使用可能であることを確実にするのに役立つ。
【０００７】
全般にパッケージアセンブリに関する、（特許文献１）、（特許文献２）、（特許文献３）、（特許文献４）、および（特許文献５）を参照されたい。
【０００８】
【特許文献１】欧州特許第Ａ−０  ８９５  ９４３号明細書
【特許文献２】欧州特許第Ａ−１  １０６  １４７号明細書
【特許文献３】欧州特許第Ａ−１  ５７６  ９３４号明細書
【特許文献４】米国特許第４，８３６，３７０号明細書
【特許文献５】米国特許第６，８５７，８０５号明細書
【発明の開示】
【課題を解決するための手段】
【０００９】
本発明は、材料、好ましくは歯科材料を貯蔵するための改善された容器に関する。好ましい実施形態によれば、本発明は、単一成分、又は２種類以上の構成成分からなる組成物用の改善された容器に関する。容器は、歯科分野で見られるものなどの使い捨ての用途にとりわけ好適である。混合用の別々の容器又は表面に構成成分を移す必要がないように、構成成分の貯蔵に加えて構成成分の混合のために容器を使用してもよい。
【００１０】
本発明は、一態様では、容器底壁と容器側壁とを有する容器に関する。容器底壁と容器側壁は、チャンバを画定する。容器壁（底壁および／又は側壁）の一部は、構成成分を収容するための少なくとも１つの区画を備える。好ましくは、容器壁は、好ましくは並列配置されている２つの区画を備える。或いは、区画を、好ましくは、例えば、容器側壁に鉛直方向に互いに離間して、周囲の対向する領域に、又は容器側壁の他の任意の領域に配置することができる。
【００１１】
容器は、歯科医用のトレイなどの表面上で容器を支持するための基部を更に備える。
【００１２】
容器側壁は、容器底壁から上向きに延び、好ましくは容器底壁に実質的に垂直である。容器は、好ましくは、断面が実質的にＵ字形、Ｎ字形、又はＭ字形である。最初の場合、容器底壁は実質的に平坦であるか又は凹状であり、２番目の場合、容器底壁は容器側壁に対して傾斜している。３番目の場合、容器底壁は傾斜しており、Ｖを形成する。
【００１３】
１つ以上の区画が容器壁の中に延び、容器と一体に製造されている容器壁内の窪みによって形成されていてもよい。好ましくは、容器壁の一部は、容器壁の残りの部分から突出し、１つ以上の区画を形成する。区画は、容器がその基部で水平面上に立っている（又は、置かれている）とき、好ましくは、貯蔵されている構成成分が少なくとも一部、区画から流出する傾向があるように配置されている。例えば、区画は、例えば、半球状、円錐状、角錐状、又は他の任意の三次元形状の窪みである。更に、窪みは、傾斜した軸に沿って延びる空洞であってもよく、空洞は、例えば、円形、長方形、又は他の任意の断面形状を有してもよい。
【００１４】
或いは、少なくとも１つの区画は、例えば、溶接で、又は、圧力嵌め若しくは接着剤で容器壁に接合されている別々のインサートとして形成されていてもよい。その場合、区画は、必要に応じて、容器とは異なる材料から製造されていてもよい。
【００１５】
１つ以上の区画を除去可能なカバーで閉鎖し、構成成分を区画内に密封する。除去可能なカバーは、閉鎖フィルム又は箔（例えば、少なくとも１つのフィルム層からなるプラスチックフィルムから、又は少なくとも１つのプラスチックフィルムと金属箔を含む多層箔で製造されている）であってもよく、好ましくは剥離可能に又はヒンジ式に（例えば、フィルムヒンジとして）容器に取り付けられている。除去可能なカバーは、好ましくは、容器壁にヒートシールされている。除去可能なカバーは、少なくとも区画の周囲で容器壁に封着されている第１の部分を備える。更に、カバーは、第１の部分から延び、例えば、カバーを除去するために使用者が把持できるグリップ部分を形成する第２の部分を少なくとも備える。
【００１６】
代替の実施形態では、カバーは、除去不可能なカバーであり、区画を開放するために（例えば、ブラシ又は歯科用器具などのアプリケータを使用して）穿孔される。また、同様に除去可能なカバーを有する実施形態を使用することも可能である。
【００１７】
本発明の好ましい実施形態によれば、除去可能なカバーは、カバーの第２の部分がカバーの第１の部分より容器の底壁に近い向きに配置されるように容器壁に取り付けられ、区画を被覆する。除去可能なカバーの第１の部分は、少なくとも１つの区画を閉鎖し、第２の部分は第１の部分を覆うように折り返されている。カバーを除去するため、使用者は第２の部分を把持してもよい。好ましくは、折り目は区画の下縁と、容器側壁と容器底壁のコーナー又は接合部との間に位置する。多成分容器の場合、単一のこのようなカバーで複数の区画を密閉することもできるが、各区画は、好ましくは別々の除去可能なカバーで閉鎖される。
【００１８】
代替によれば、除去可能なカバーは、剥離されるか、又は、区画の一方側で始まり、他方に向かって進むように他の方法で除去される。この場合、除去可能なカバーの第１の部分は、少なくとも１つの区画を閉鎖し、第２の部分は第１の部分を覆うように折られていてもよい。カバーを除去するため、使用者は第２の部分を把持してもよい。好ましくは、折り目は、区画の一方側の縁と容器壁の縁の間に位置する。別の代替として、除去可能なカバーは、容器の１つのコーナー（好ましくは、区画より上にある上左又は上右コーナー）に自由端を備え、カバーを除去するため、使用者はこの自由端を把持してもよい。別の代替として、自由端はカバーの一方側、好ましくは少なくとも１つの区画より上にある上側である。選択肢として又は追加で、右側、左側、又は下側は、使用者が把持可能な自由端を備えてもよい。更に別の代替として、カバーは、コード、糸、又はストリップを備え、それを引っ張るとカバーが引き裂かれるか又は除去されて、区画が開放される。
【００１９】
容器壁が、カバーを除去する時にカバーに付着する物質を除去するためのスクレーパを備えることが更に好ましい。スクレーパは、例えば、容器壁にスリットとして形成されてもよく、除去可能なカバーの第２の部分は、スリットを通って延びる。
【００２０】
容器壁が、除去されたカバーの、区画内に貯蔵されている材料と接触した部分を収容するように構成されている、チャネルなどの長手方向の貫通路を更に備えることも好ましい。
【００２１】
代替の実施形態では、区画は、カバーが除去されるとき、材料の一部が流出しないようにするためのポケットを備える。実施形態が２つ以上の区画を有する場合、区画内に収容されている材料の一部は、カバーを除去すると容器のチャンバに流入し、互いに接触するか又は混合する。材料の他の部分は、個々の区画のポケット内に残存する。これによって使用者は、容器が使用されるように開放されたとき、混合されていない個々の材料だけでなく材料の混合物にもアクセスできる。
【００２２】
剥離可能な箔の代替として、除去可能なカバーはキャップ又はプラグであってもよい。
【００２３】
容器は、区画内に、液体、ペースト又は固体（例えば、粉末）のいずれか形態の構成成分を所定の量、貯蔵することができ、容器壁によって形成されているチャンバは、好都合には第２の構成成分が第１の構成成分に添加された後、組成物を混合する場所の役割をすることができる。容器の少なくとも１つの区画には、好ましくは、少なくとも１種類の歯科用物質が充填されている。カバーは、歯科用物質を区画内に密閉する。
【００２４】
構成成分を貯蔵するために容器のチャンバを使用してもよい。この実施形態では、チャンバも除去可能なカバーで一部閉鎖され得る。
【００２５】
代替の実施形態では、容器底壁の一部は、構成成分を収容するための少なくとも１つの区画を備える。この代替の実施形態では、好ましくは、容器底壁は、好ましくは互いに離間して配置され、容器底壁の任意の場所に位置する少なくとも２つの区画を備える。選択肢として、容器底壁と容器側壁はそれぞれ、少なくとも１つの区画を備える。
【００２６】
一実施形態では、複数の容器を組み合わせ、パックとして供給する。この場合、個々の容器は、使用し易くするため、例えば、穿孔又は他の弱化部分で分離され得る複数の容器を含む一体品（例えば、複数の容器を有するバー）として製造されてもよい。代替の実施形態では、容器を個々に供給することができる。
【００２７】
容器は、例えば、射出成形により、又は、プラスチック若しくは金属のフィルム若しくはシートを深絞りすることにより、プラスチック材料で安価に製造され得る。そのため、容器の費用は比較的低い。
【００２８】
本発明は、また、別の態様では、第１の態様の容器と少なくとも１つの混合デバイス又はアプリケータを備えるキットに関する。アプリケータは、好ましくはブラシである。キットは、容器とアプリケータを含む群から選択される複数の物品を備えてもよい。例えば、容器は、容器とアプリケータを含む群から選択される複数の物品を含むパックで提供される。それらの物品は、最初、互いに接続されており、使用し易くするため、例えば、穿孔で分離できるようになっていてもよい。
【００２９】
別の態様によれば、本発明は、射出成形により前述の種類の容器を製造する方法に関し、ここで、容器の区画とチャンバは、金型の一体部分（ｏｎｅ−ｐｉｅｃｅ  ｐｏｒｔｉｏｎ）により一体成形（単一の部品として成形）される。これは、一体部分が、容器の区画のネガの形状とチャンバのネガの形状を備える金型内の部品、例えば、可動コアであることを意味する。この文脈では、「一体（ｏｎｅ−ｐｉｅｃｅ）」は、部品が１つの部分からなってもよく、又は幾つかの部分から組み立てられてもよいが、意図される金型の使用中、一体品として機能することを意味する。区画とチャンバの一体成形により、一工程で１つの金型を使用して製造することが可能になるが、さもなければ、これには追加の金型と組み立て工程が必要になり、一方、金型の一体部分を使用して両方の部分を形成すると、金型内での可動コアの量が最小限になる。これらの態様は両方とも、製造と投資の費用を最小限にする。
【００３０】
添付の図面を参照して本発明の好ましい実施形態を以下に更に詳細に記載するが、それらは、単に例示を目的とするに過ぎない。
【発明を実施するための最良の形態】
【００３１】
図２は、本発明の好ましい実施形態による容器１の概略的断面図である。この実施形態では、容器１は、実質的にＮ字形であり、容器側壁３と、容器側壁３に対して傾斜している容器底壁２とを有する。容器１は、代わりに、容器側壁に実質的に垂直な容器底壁を有する略Ｕ字形、容器の内容物に接触する容器底部がなく、容器を支持する基部を有する略Ｖ字形、又は、他の好適な形状とすることができる。Ｖ字形（又はＭ字形）の代替を図１２に示す。
【００３２】
容器１は、表面上で容器を支持するための基部８を更に備える。基部８は、基部平面を画定し得る。このような基部は、例えば、個々の「足」又は容器の底部にある平坦な面によって提供され得る。
【００３３】
図２の容器の斜視図である図１に示すように、容器側壁３の３面と傾斜した容器底壁２は、容器１内にチャンバ４を画定する。図示されている実施形態では、複数の容器壁を示し得るが、他の実施形態では、容器は側壁を１つだけ（円筒状の容器の場合）又は側壁を２つ具備する場合がある。
【００３４】
容器側壁３は、（図２および図３に示され、他の実施形態では容器底壁２に設けられ得る）区画５を備える。例えば、液体、ペースト、又は固体（例えば、粉末）の形態の材料７を所定の量、区画５内に貯蔵することができる。図２および図３に示すように、区画は、好ましくは、容器側壁に配置されるか、又は、容器側壁の一部が容器側壁３の残りの部分から突出し、区画５を形成する。区画５は、好ましくは、図１〜図３の容器側壁３が実質的に鉛直姿勢をとっているとき、即ち、基部８が水平面上にある状態で容器１が立っているか又は置かれているとき、区画５内に貯蔵されている材料が少なくとも一部、区画５から流出する傾向があるような形状に作られている。例えば、区画内に貯蔵されている材料７が重力下で下向きに流れる傾向があるように、図２および図３に示すように区画５の底壁２が下向きに傾斜していることが好ましい。これを図３に示す。区画５が容器底壁２に設けられている実施形態では、容器１は、（例えば、側壁の区画から、又は使用者が添加することによって）容器に添加される任意の材料が区画５に流入する傾向があるように構成されてもよい。
【００３５】
区画５は、好ましくは、区画５の側部で容器側壁３の表面に隣接する少なくとも１つの内面５２（図３参照）を有する。これは、区画の下縁で容器側壁３の表面に隣接してもよい。或いは、内面５２は、チャンバの最下点３１と直接接してもよい。区画５の内面５２は、好ましくは基部平面に最も近い少なくとも１つの最下点５１を備える。
【００３６】
区画の開口部が、少なくとも一部、容器のチャンバ内にあるように、区画が容器の基部に対する高さに位置することが更に好ましい。
【００３７】
区画５の内面５２の最下点５１は、区画５内の全ての材料７をそれから容易に出して空にすることができるように、好ましくは区画５の開口部の最下点と同じ高さにあるか、又はそれより上にある。
【００３８】
使用を必要とされるまで材料７を区画５内に保存するため、区画５を密封箔などの除去可能なカバー６で閉鎖する。除去可能なカバー６は、区画を被覆する第１の部分６ａからなる。除去可能なカバー６の第１の部分６ａは、少なくとも区画５の周囲で容器壁３に封着されており、それによって、区画５の内容物を保護するため、好ましくは気密シールが提供される。図３に示すように、使用者がカバー６を除去できるように、カバー６の第２の部分６ｂは使用者によって把持可能である。図２では、第１の部分６ａは区画５を閉鎖し、第２の部分６ｂは折り返されており（しかし、実際の折り目は必要ではない）、上向きに延びている。第１の部分６ａと第２の部分６ｂの接合部６ｃは、図示されている実施形態では、区画５の下縁５１と、容器側壁３と容器底壁２の間の縁３１との間に位置する。図３では、除去力は、左の方に延びるように示されており、この力は、鉛直方向、（図３では）右向き、又は他の任意の方向を含む、カバー６の除去を可能にする任意の方向とすることができる。
【００３９】
図４は、カバーが完全に除去されている容器１’を示す。図４に示されている容器１’は、同じであっても又は異なってもよい、２つの材料を収容するように並列配置されている２つの区画５ａおよび５ｂを備える。図４に示すように、カバーが除去されると、区画５ａ、５ｂの底壁が傾斜しているため、２つの材料はチャンバ４に流入する。次いで、チャンバ４内で混合デバイス又はアプリケータ９を用いて２つの材料を混合することができる。
【００４０】
区画５ａおよび５ｂは、鉛直に、１つの区画がもう一方の上に位置するように配置されていてもよい。この場合、上の区画に貯蔵されている材料は、蓋が除去されると下の区画を通って流れ、好ましくは、下の区画に貯蔵されている材料を全て洗い流す。これは、下の区画が、他の材料と比較して少量の材料を収容する場合、とりわけ有利である。このような複数区画の配置では、個々の材料を必要とするときに応じて、１つの区画からだけ、又は２つ以上の区画からカバーを除去することができる。
【００４１】
また、区画５ａおよび５ｂは２つの別々のカバーで閉鎖されてもよい。これは、２つの成分が、互いに混合されたときに又は別々の構成成分として使用され得る場合に有利である。２つの別々のカバーの代わりに、代替として、弱化部分（例えば、線状の穿孔又はスリット）を備えるカバーを使用し、個々の区画を互いに独立に開放できるだけでなく、カバー全体を容易に除去することもできる。
【００４２】
図５は、製造段階中の区画５の充填方法を示す。ここで、容器側壁３が本質的に水平で、区画５が材料７を受容する姿勢をとるように、容器１を直立姿勢にする。次いで、図５に示すように、注出デバイス１１を使用して材料７を区画５の中に充填することができる。
【００４３】
図６および図７は、容器の代替の実施形態を示す。図６および図７に示されている容器６１および７１は、容器６１、７１内にチャンバ６４、７４を画定する容器側壁６３、７３および傾斜した容器底壁６２、７２を備える。図１〜図５に示されている実施形態におけるように、容器側壁６３、７３は少なくとも１つの区画６５、７５を備える。区画は、除去可能なカバー６６、７６によって閉鎖されている。しかし、この実施形態では、除去可能なカバー６６、７６は、容器側壁と底壁（図６）によって、又は底壁７２（図７）内に形成される区画も一部密閉する。除去可能なカバー６６、７６は、区画を密閉する第１の部分６６１、７６１と、上向きに延び、使用者が把持できる第２の部分６６２、７６２とを備える。更に、除去可能なカバーは、第１の部分と第２の部分の間に中間の部分６６３、７６３を備える。中間の部分は、容器チャンバ６４、７４の底壁区画６４１、７４１を被覆し、追加の材料の貯蔵を可能にする。
【００４４】
図６に示されているものに加えて、図７の容器７１は傾斜した容器底壁７２に窪み又は段７２１と、容器側壁７３に窪み又は段７３１を備える。２つの窪み又は段は、チャンバ底壁区画７４１を形成し、除去可能なカバー７６の取り付けおよび封着面を提供するように位置する。
【００４５】
図８に示すように、容器壁３は、好ましくは、カバー６を除去する時、カバー６に付着する物質を除去するためのスクレーパ３０を備える。スクレーパ３０は、例えば、容器壁３にスリットとして形成され、除去可能なカバー６の第２の部分６ｂの自由端はスリット３０を通って延びる。
【００４６】
図９は、本発明の代替の実施形態を示す。図９に示されている容器１００は、図１〜図８に示されている容器１、１’、６１、および７１に類似の、容器側壁１０３、および傾斜した容器底壁１０２を備える。しかし、図９の実施形態では、貯蔵される材料のための区画は、例えば、圧力嵌め又は接着剤によりそれぞれの開口部で容器側壁に接合されている別々のインサート１１０によって形成されている。その場合、区画は、必要に応じて、容器とは異なる材料で製造されていてもよい。例えば、区画は、良好なバリア特性を提供し、貯蔵されている材料が浸透により区画の壁を通って逃げるリスクを減少させる材料で製造されていてもよい。このような特性を提供する材料は、非常に高価な場合がある。そのような場合、これは、高価な材料で区画だけを製造し、容器の残りの部分をより安価な材料で製造するという選択肢を提供する。
【００４７】
更に、図９に示すように、この代替の実施形態の構造では、個々の部品を別々に製造（好ましくは、成形）できるため、設計における自由度が高くなる。
【００４８】
図１０は、本発明の代替の実施形態を示す。図１０に示されている容器２００は、ポケット２１０を備える区画２０５を有する。ポケット２１０は、区画の容積の一部を形成する。この容器からカバーを除去するとき、区画２０５内に収容されている材料の一部だけがチャンバ２０４の中に流入し、他の部分は、ポケット２１０内に保持される。容器が少なくとも２つの区画を備える場合、区画内に収容されている材料の一部はチャンバ２０４に流入し、互いに接触又は混合するが、一定量の混合されていない材料はポケット内に残存する。これは、例えば、使用者が、個々の材料の混合物だけでなく、個々の材料をそれらが個々のポケット内に貯蔵されている状態で塗布する必要があるときに有利である。
【００４９】
図１１は、除去されたカバーの汚染された部分３０６ａを収容するため、除去可能なカバー３０６に適するように構成されている貫通路３５０を更に備える容器壁３０３を備える、本発明の別の実施形態を示す。これは、区画内に貯蔵されている材料がヒトの皮膚、および目などを刺激する場合、とりわけ有用となり得る。しかし、どの容器も中に貯蔵されている材料と無意図的に接触することなく開放し使用できることが一般に望ましいため、この実施形態では、使用者が、区画内に貯蔵されている材料と接触したカバーの部分に触れることができないようにしている。
【００５０】
図１１に（および、例えば、図６にも）、材料を一緒に混合できる領域が、区画および／又はポケットの一部を含み得ることを示す。換言すれば、区画内に貯蔵されている材料は、混合領域に放出されるとき、前部が区画又はポケットの外側に存在しなくてもよい、即ち、材料が全て区画および／又はポケットから常に完全に流出しなければならないわけではない。
【００５１】
図１２は、本発明の別の実施形態を示す。この実施形態の容器４００は、断面が実質的にＭ字形であり、チャンバ４０４を形成する容器側壁４０３と容器底壁４０２を有する。この実施形態では、Ｖ字形の容器底壁４０２は、少なくとも１つの区画（図１２に２つの区画４０５ａおよび４０５ｂが示されている）を備える。
【００５２】
図１〜図１２に示されている本発明の容器は、（図５に示すように）直立姿勢で容易に充填され、その後、除去可能なカバーで密封され得るため、有利である。使用するため、後で容器を元の姿勢に戻すことができる（例えば、図４を参照されたい）。カバーを除去すると、材料又は構成成分は混合チャンバ４に流入し、次いで、使用者によって容易に混合され、必要なところに塗布され得る。
【００５３】
この種の容器に入れて使用できる材料の例としては、ボンディング剤、レジン、調整剤、エッチング剤、シーラント、ホワイトニング剤、フッ化物、および除痛剤（ｄｅｓｅｎｓｉｔｉｚｅｒ）のような歯科用材料、並びに、齲食治療液、齲食表示液、又は歯科用診断液などが挙げられる。非歯科用接着剤、レジン、調整剤、又は他の２成分材料のような他の材料も容器に入れて使用できる。この文脈では、流動性材料およびフロアブル剤は、流体、並びに、自由流動性粉末および顆粒を含む。
【００５４】
２つの区画、又は、ポケットを有する１つの区画を提供することの別の利点は、使用者の好みに合うように、追加の材料を追加して入れるという選択肢を使用者に提供することである。換言すれば、ある一定の混合物について、より低粘度の混合物を好む歯科医がいる場合、彼らは（例えば、第１の区画内、又は区画の非ポケット領域内に貯蔵されている）（固体）材料を９０％使用し得、より高粘度の混合物を好む歯科医は、（例えば、第１および第２の区画内、又はポケットを有する区画の全容積内に貯蔵されている）（固体）材料を１００％使用し得る。これは、例えば、高高度で、又は他の様々な環境状態（熱、湿度など）で使用されるときに混合物が異なり得る場合にも当てはまることがある。
【００５５】
幾つかの実施形態を参照して本発明を説明してきた。本発明の範囲から逸脱することなく、記載されている実施形態に多くの変更をなし得ることが、当業者に明らかである。従って、本発明の範囲は本出願中に記載されている構造に限定されるべきではなく、特許請求の範囲の言葉によって説明される構造およびその構造の同等物によってのみ限定されるべきである。
【図面の簡単な説明】
【００５６】
【図１】区画が箔によって閉鎖されている、本発明の一実施形態による容器の斜視図である。
【図２】図１の閉鎖されている容器の概略断面図である。
【図３】区画が一部開放されている、図１の容器の概略断面図である。
【図４】アプリケータと一緒に示されている、開放されている容器の斜視図である。
【図５】容器が充填されているときの、本発明の容器を示す概略断面図である。
【図６】容器の区画とチャンバの一部が箔によって閉鎖されている、本発明の代替の実施形態による容器の断面図である。
【図７】図６に示されている容器の代替の実施形態の断面図である。
【図８】容器壁にスクレーパが形成されている、本発明の代替の実施形態による容器の断面図である。
【図９】本発明の別の代替の実施形態による容器の概略的断面図である。
【図１０】一定量の材料を保持するために区画内にポケットを有する、本発明の別の実施形態による容器の概略的断面図である。
【図１１】除去されたカバーの汚染された部分を収容するための貫通路を有する、本発明の別の実施形態による容器の概略的断面図である。
【図１２】代替の実施形態の斜視断面図である。
【符号の説明】
【００５７】
１  容器
１’  容器
２  容器底壁
３  容器側壁
３０  スクレーパ、スリット
３１  チャンバの最低点、容器壁と容器底部の間の縁
４  チャンバ
５  区画
５ａ  区画
５ｂ  区画
５１  区画の内面の最低点、区画下縁
５２  内面
６  除去可能なカバー
６ａ  第１の部分
６ｂ  第２の部分
６ｃ  接合部
７  材料
８  基部
９  混合デバイス又はアプリケータ
１１  注出デバイス
６１  容器
６２  容器底壁
６３  容器側壁
６４  容器チャンバ
６４１  容器チャンバの底壁区画
６５  区画
６６  除去可能なカバー
６６１  第１の部分
６６２  第２の部分
６６３  中間の部分
７１  容器
７２  容器底壁
７２１  容器底壁の窪み又は段
７３  容器側壁
７３１  容器側壁の窪み又は段
７４  容器チャンバ
７４１  容器チャンバの底壁区画
７５  区画
７６  除去可能なカバー
７６１  第１の部分
７６２  第２の部分
７６３  中間の部分
１００  容器
１０２  容器底壁
１０３  容器側壁
１１０  インサート
２００  容器
２０４  チャンバ
２０５  区画
２１０  ポケット
３０３  容器壁
３０６  除去可能なカバー
３０６ａ  除去可能なカバーの汚染された部分
３５０  貫通路
４００  容器
４０２  Ｖ字形の容器底壁
４０３  容器側壁
４０４  チャンバ
４０５ａ  区画
４０５ｂ  区画
【図１】
2007261686.tif 000003
【図２】
2007261686.tif 000004
【図３】
2007261686.tif 000005
【図４】
2007261686.tif 000006
【図５】
2007261686.tif 000007
【図６】
2007261686.tif 000008
【図７】
2007261686.tif 000009
【図８】
2007261686.tif 000010
【図９】
2007261686.tif 000011
【図１０】
2007261686.tif 000012
【図１１】
2007261686.tif 000013
【図１２】
2007261686.tif 000014
【外国語明細書】
2007261686000001.pdf